(57)【要約】【課題】  従来、テレビなどの番組やコマーシャル等で、スポンサー企業などが希望のホームページへ視聴者を導いたり、メールアドレスを視聴者に伝えるためには、短い時間の中、ＨＰアドレスやメールアドレスを表示もしくはアナウンスしたり、直接ホームページの名前などを表示もしくはアナウンスし、視聴者自らにインターネット上から検索して探し出すように導いたりしている。【解決手段】  ＨＰアドレスやメールアドレスを電話番号や郵便番号などのように、短時間で覚えやすかったり紙などに記録しやすかったりできる番号に置き換え、登録・管理会社へ登録します。登録・管理会社の専用の検索エンジンに、視聴者などが置き換えられた番号を入力し検索することにより、ホームページなら直接ピンポイントで表示し、Ｅ−ＭＡＩＬなら、メールアドレスを表示できるようにし、課題を解決します。【選択図】図４
2008033869.tif 000002
【特許請求の範囲】
【請求項１】
ホームページアドレスを、郵便番号などのようにわかりやすく番号などに置き換え、登録・管理し、専用の検索エンジンに登録されている番号などを入力することにより、直接ピンポイントで置き換えられたホームページに移動・表示するビジネスモデル。
【請求項２】
Ｅ−ＭＡＩＬアドレスを、郵便番号などのようにわかりやすく番号などに置き換え、登録・管理し、専用の検索エンジンに登録されている番号を入力することにより、置き換えられたＥ−ＭＡＩＬアドレスを表示するビジネスモデル。
【発明の詳細な説明】
【技術分野】
【０００１】    本発明は、主にインターネット上のホームページアドレス（以下、ＨＰアドレス）もしくはＥ−ＭＡＩＬアドレス（以下、メールアドレス）に関するビジネスモデルである。
【背景技術】
【０００２】  従来、テレビなどの番組やコマーシャル等で、スポンサー企業などが希望のホームページへ視聴者を導いたり、メールアドレスを視聴者に伝えるためには、短い時間の中、ＨＰアドレスやメールアドレスを表示もしくはアナウンスしたり、直接ホームページの名前などを表示もしくはアナウンスし、視聴者自らにインターネット上から検索して探し出すように導いたりしている。【０００３】  また、ラジオの番組やコマーシャルにおいても、アナウンサーやパーソナリティーなどが、短い時間の中、ＨＰアドレスやメールアドレス、ホームページの名前などをアナウンスしている。【０００４】  さらに、新聞や雑誌、看板などの宣伝においても、ＨＰアドレスやメールアドレス、ホームページの名前などを表示して、希望するホームページに導いている。
【発明の開示】
【発明が解決しようとする課題】
【０００５】従来、視聴者等が、スポンサー企業が導いているホームページを閲覧しようとする場合、コマーシャル等で表示もしくはアナウンスされた各アドレスを直接入力する必要があった。
その場合、図１の１．１の段階のように、ラジオやテレビなどがＨＰアドレスを表示もしくはアナウンスしている間に、頭に記憶できるほど簡単なＨＰアドレスやメールアドレスは少なく、複雑なＨＰアドレスを紙などに記録する必要があった。記録する時間が短かったり、見間違いや写し間違い等をする可能性が高く、アナウンスする側においても、長いＨＰアドレスを丁寧にアナウンスする時間が必要であった。
また、複雑なＨＰアドレスやメールアドレスには向いておらず、ＴＯＰページから枝分かれし、さらにＨＰアドレスが長くなったホームページへ直接導くにはなおさら向いていなかった。
さらに１．２の段階で、記録や名刺に書かれたＨＰアドレスやメールアドレスを、パソコンのアドレスバーにＨＰアドレスやメールアドレスを入力する場合においても、手間がかかり、文字の全角、半角や間違いやすい文字や記号などの入力を間違える可能性もあり、ひとつでも間違えることにより希望するホームページが表示できなかったり、メールが送信できなかったりする可能性があった。【０００６】  さらにスポンサー企業が導いているホームページを、名前やキーワードなどから検索して閲覧しようとする場合、ホームページの名前やキーワードを検索エンジンに入力し、検索する必要があった。
図２の２．１の段階のように、ラジオやテレビなどで表示もしくはアナウンスされたＨＰの名前を検索エンジンに入力する場合においても、知っている名前などであれば問題は少ないが、聞きなれない名前の場合、変換を間違えたりする可能性があった。
また、間違えずに入力し、検索できたとしても、入力された言葉にもよるが２．２の場合、膨大な一覧が表示され、その中から、それらしいページを選択・表示する必要があった。一覧を減らすため、キーワードを増やすと、入力したキーワードによって、希望するホームページが表示されない可能性があった。一覧の中から最初に希望するホームページが見つかれば問題ないが、違ったホームページを表示してしまった場合、一覧にもどり、再度それらしいページを選択・表示しなくてはならなかった。たとえ、希望する企業などのホームページを表示できたとしても、２．３の段階ように、一覧より表示したホームページはＴＯＰページが多く、２．４の段階のように、その中からさらに希望するページを捜さなくてはならなかった。
また、新しいホームページやヒット数の少ないホームページにおいては、一覧の上のほうには表示されにくく、見つけ出すのに面倒であった。
スポンサー企業などにおいても、立ち上げたばかりの無名のホームページへ、検索によって導くには困難であった。【０００７】  上記のスポンサー企業などの表現は、特に企業のみをあらわしたものではなく、個人や企業、行政などホームページやメールアドレスを広めたい意図のあるものを意味します。また、視聴者においても、特に定めはなく、導かれたホームページやメールアドレスを探す人を意味します。
【課題を解決するための手段】
【０００８】  上記課題を解決するには、ＨＰアドレスやメールアドレスを電話番号や郵便番号などのように、短時間で覚えやすかったり紙などに記録しやすかったりできるかんたんな番号等（アルファベットや記号等も含む）に置き換え、登録・管理会社へ登録します。登録・管理会社は、専用の検索エンジンを設け、図３の３．１のように、視聴者などが置き換えられた番号などを記憶もしくは記録し、３．２のように専用の検索エンジンに入力し検索することにより、ホームページなら直接ピンポイントで表示し、Ｅ−ＭＡＩＬなら、メールアドレスを表示できるようにし、上記課題を解決します。
【発明の効果】
【０００９】  以上、本発明により、以下の効果を得ることができます。【００１０】  本発明により、複雑で伝えにくいＨＰアドレスやメールアドレスをかんたんな番号に置き換え、専用の検索エンジンに入力・検索することにより、時間をかけ複雑なＨＰアドレスを紙などに記録したり、キーワードを考え、一覧の中から探し出したりする必要がなくなり、すばやく簡単に直接希望するホームページを表示することが出来るようになり、より多くの視聴者を希望するホームページに導くことが出来るようになります。【００１１】  また、メールアドレスにいても、視聴者などは複雑なメールアドレスを紙などに記録する必要がなく、間違えずに確実なメールアドレスを入手することが出来ます。それにより視聴者などの手間が省け、より多くの人が宣伝されたメールアドレスを利用するようになります。
【発明を実施するための最良の形態】
【００１６】  本発明にかかわる実施形態を説明します。
【実施例１】
【００１５】  図４のように、４．３スポンサー企業などが希望するＨＰアドレスを４．４登録・管理会社が定めた形式の番号に置き換え登録するようにします。スポンサー企業などは、４．１テレビやラジオなどの宣伝媒体にてＨＰやメールアドレスを宣伝する場合に、登録・管理会社に登録した番号などを表示もしくはアナウンスするようにします。それらを視聴した４．２視聴者などは、表示もしくはアナウンスされた番号を、登録・管理会社の専用の検索エンジンに入力・検索します。それにより、スポンサー企業などが希望する４．５ホームページへかんたんに直接たどりつくことができるようになります。
【図面の簡単な説明】
【００１６】
【図１】本発明のＨＰアドレスを直接入力する場合のフローチャート。
【図２】本発明のＨＰの名前から検索する場合のフローチャート。
【図３】本発明のピンポイントサーチの場合のフローチャート。
【図４】本発明の構成図
【符号の説明】
【００１７】１．１  ラジオやテレビなどからＨＰアドレスを記録
１．２  パソコンのアドレスバーに入力
１．３  企業が希望するＨＰが表示
２．１  ＨＰの名前を検索エンジンに入力、検索
２．２  一覧より選択
２．３  企業のＨＰのＴＯＰページが表示
２．４  ＴＯＰページからさらに希望するページを検索
２．５  企業が希望するＨＰが表示
３．１  ラジオやテレビなどから登録番号を記録
３．２  パソコンの専用検索エンジンに入力
３．３  企業が希望するＨＰが表示
４．１  テレビやラジオなどの宣伝媒体
４．２  視聴者など
４．３  スポンサー企業など
４．４  登録・管理会社
４．５  ホームページ
【図１】
2008033869.tif 000003
【図２】
2008033869.tif 000004
【図３】
2008033869.tif 000005
【図４】
2008033869.tif 000006